【手続補正書】
【提出日】平成17年2月18日(2005.2.18)
【手続補正１】
【補正対象書類名】明細書
【補正対象項目名】発明の名称
【補正方法】変更
【補正の内容】
【発明の名称】画像表示装置
【手続補正２】
【補正対象書類名】特許請求の範囲
【補正対象項目名】全文
【補正方法】変更
【補正の内容】
【特許請求の範囲】
【請求項１】
画像表示装置において、
第１映像信号が入力される第１入力部と、
第２映像信号が入力される第２入力部と、
前記第１または第２入力部から入力された映像信号のうち、所望色相範囲にある映像信号について、その色相を調整可能な第１調整手段と、
前記第１または第２映像信号における赤、青、緑の各原色のうち、少なくとも一つを調整可能な第２調整手段と、
を備えることを特徴とする画像表示装置。
【請求項２】
請求項１に記載の画像表示装置において、表示画像の色調整を行う手段として、前記第１調整手段と前記第２調整手段とのいずれかを選択可能な手段を更に備え、該選択された調整手段を用いて表示画像の色調整を可能にしたことを特徴とする画像表示装置。
【請求項３】
請求項１または２に記載の画像表示装置において、前記第１映像信号は、輝度信号及び色差信号を含む映像信号であり、前記第２映像信号は、ＲＧＢ３原色信号を含む映像信号であることを特徴とする画像表示装置。
【請求項４】
請求項３に記載の画像表示装置において、前記第１映像信号は、ＤＶＤプレーヤまたはセットップボックスから出力された映像信号であり、前記第２映像信号はパソコンから出力された映像信号であることを特徴とする画像表示装置。
【請求項５】
画像表示装置において、
輝度信号及び色差信号を含む第１映像信号が入力される第１入力部と、
ＲＧＢ３原色信号を含む第２映像信号が入力される第２入力部と、
前記第１入力部から入力された第１映像信号のうち、所望色相範囲にある映像信号について、その色相を調整可能な第１調整手段と、
前記第２入力部から入力された第２映像信号に含まれる３原色信号のそれぞれについて、そのレベルを調整可能な第２調整手段と、
を備えることを特徴とする画像表示装置。
【請求項６】
画像表示装置において、
輝度信号及び色差信号を含む第１映像信号が入力される第１入力部と、
ＲＧＢ３原色信号を含む第２映像信号が入力される第２入力部と、
前記第１入力部に入力された第１映像信号から色相信号を生成するための色相信号生成手段と、
前記色相信号生成手段によって生成された色相信号を調整可能なする第１調整手段と、
前記第２入力部から入力された第２映像信号に含まれる３原色信号のそれぞれについて、そのレベルを調整可能な第２調整手段と、
を備えることを特徴とする画像表示装置。
【請求項７】
請求項６に記載の画像表示装置において、前記第１調整手段は、前記色相信号のうち、所望色相範囲にある色相信号を他の色相信号とは独立して調整可能であることを特徴とする画像表示装置。
【請求項８】
画像表示装置において、
輝度信号及び色差信号を含む第１映像信号が入力される第１入力部と、
ＲＧＢ３原色信号を含む第２映像信号が入力される第２入力部と、
所望色相範囲にある前記第１映像信号について、その色相を調整可能な第１調整手段と、
前記所望色相範囲にある第１映像信号について、その彩度を調整可能な第２調整手段と、
前記第２入力部から入力された第２映像信号に含まれる３原色信号のそれぞれについて、そのレベルを調整可能な第３調整手段と、
を備えることを特徴とする画像表示装置。
【請求項９】
画像表示装置において、
輝度信号及び色差信号を含む第１映像信号が入力される第１入力部と、
ＲＧＢ３原色信号を含む第２映像信号が入力される第２入力部と、
前記第１映像信号から色相信号を生成するための色相信号生成手段と、
前記第１映像信号から彩度信号を生成するための彩度信号生成手段と、
前記色相信号生成手段によって生成された色相信号を用いて、第１映像信号が所望色相範囲にあるかを判定する判定手段と、
前記検出手段によって映像信号が所望色相範囲にあると判定された場合に、その所望色相範囲にある色相信号を他の色相範囲にある色相信号とは独立して調整可能な第１調整手段と、
前記判定手段によって映像信号が所望色相範囲にあると判定された場合に、その所望色相範囲にある前記彩度信号を他の色相範囲にある彩度信号とは調整可能な第２調整手段と、
前記第２入力部から入力された第２映像信号に含まれる３原色信号のそれぞれについて、そのレベルを調整可能な第３調整手段と、
を備えることを特徴とする画像表示装置。
【請求項１０】
請求項８または９に記載の画像表示装置において、前記第１及び第２調整手段と、前記第３調整手段とのいずれかを選択して調整可能としたことを特徴とする画像表示装置。
【請求項１１】
請求項８または９に記載の画像表示装置において、更に、前記第１調整手段によって色相が調整された色相信号と、前記第２調整手段によって彩度が調整された彩度信号とを用いてＲＧＢ３原色信号を生成する原色信号生成手段を更に備え、
前記第３調整手段は、前記原色信号生成手段によって生成されたＲＧＢ３原色信号についても、それぞれ調整可能であることを特徴とする画像表示装置。
【請求項１２】
請求項１乃至１１のいずれかに記載の画像表示装置において、前記第２調整手段は、前記３原色信号の振幅及び直流レベルをそれぞれ調整可能であることを特徴とする画像表示装置。
【請求項１３】
請求項１乃至１２のいずれかに記載の画像表示装置において、前記調整手段で調整された映像信号が表示される表示デバイスを更に備え、該表示デバイスがプラズマ表示素子または液晶表示素子であることを特徴とする画像表示装置。
【手続補正３】
【補正対象書類名】明細書
【補正対象項目名】０００１
【補正方法】変更
【補正の内容】
【０００１】
本発明は、画像表示装置において、色調整の技術に関する。
【手続補正４】
【補正対象書類名】明細書
【補正対象項目名】０００５
【補正方法】変更
【補正の内容】
【０００５】
本発明の目的は、好適に色調整を行うことができる技術を提供することにある。
【手続補正５】
【補正対象書類名】明細書
【補正対象項目名】０００６
【補正方法】変更
【補正の内容】
【０００６】
本発明は、画像表示装置において、第１映像信号が入力される第１入力部と、
第２映像信号が入力される第２入力部と、前記第１または第２入力部から入力された映像信号のうち、所望色相範囲にある映像信号について、その色相を調整可能な第１調整手段と、前記第１または第２映像信号における赤、青、緑の各原色のうち、少なくとも一つを調整可能な第２調整手段とを備えることを特徴とする。
【手続補正６】
【補正対象書類名】明細書
【補正対象項目名】０００７
【補正方法】変更
【補正の内容】
【０００７】
また本発明は、画像表示装置において、輝度信号及び色差信号を含む第１映像信号が入力される第１入力部と、ＲＧＢ３原色信号を含む第２映像信号が入力される第２入力部と、前記第１入力部から入力された第１映像信号のうち、所望色相範囲にある映像信号について、その色相を調整可能な第１調整手段と、前記第２入力部から入力された第２映像信号に含まれる３原色信号のそれぞれについて、そのレベルを調整可能な第２調整手段とを備えることを特徴とする。
【手続補正７】
【補正対象書類名】明細書
【補正対象項目名】０００８
【補正方法】変更
【補正の内容】
【０００８】
また本発明は、画像表示装置において、輝度信号及び色差信号を含む第１映像信号が入力される第１入力部と、ＲＧＢ３原色信号を含む第２映像信号が入力される第２入力部と、前記第１入力部に入力された第１映像信号から色相信号を生成するための色相信号生成手段と、前記色相信号生成手段によって生成された色相信号を調整可能なする第１調整手段と、前記第２入力部から入力された第２映像信号に含まれる３原色信号のそれぞれについて、そのレベルを調整可能な第２調整手段とを備えることを特徴とする。
【手続補正８】
【補正対象書類名】明細書
【補正対象項目名】０００９
【補正方法】変更
【補正の内容】
【０００９】
また本発明は、画像表示装置において、輝度信号及び色差信号を含む第１映像信号が入力される第１入力部と、ＲＧＢ３原色信号を含む第２映像信号が入力される第２入力部と、所望色相範囲にある前記第１映像信号について、その色相を調整可能な第１調整手段と、前記所望色相範囲にある第１映像信号について、その彩度を調整可能な第２調整手段と、前記第２入力部から入力された第２映像信号に含まれる３原色信号のそれぞれについて、そのレベルを調整可能な第３調整手段とを備えることを特徴とする。
【手続補正９】
【補正対象書類名】明細書
【補正対象項目名】００１０
【補正方法】変更
【補正の内容】
【００１０】
また本発明は、画像表示装置において、輝度信号及び色差信号を含む第１映像信号が入力される第１入力部と、ＲＧＢ３原色信号を含む第２映像信号が入力される第２入力部と、前記第１映像信号から色相信号を生成するための色相信号生成手段と、前記第１映像信号から彩度信号を生成するための彩度信号生成手段と、前記色相信号生成手段によって生成された色相信号を用いて、第１映像信号が所望色相範囲にあるかを判定する判定手段と、前記検出手段によって映像信号が所望色相範囲にあると判定された場合に、その所望色相範囲にある色相信号を他の色相範囲にある色相信号とは独立して調整可能な第１調整手段と、前記判定手段によって映像信号が所望色相範囲にあると判定された場合に、その所望色相範囲にある前記彩度信号を他の色相範囲にある彩度信号とは調整可能な第２調整手段と、前記第２入力部から入力された第２映像信号に含まれる３原色信号のそれぞれについて、そのレベルを調整可能な第３調整手段とを備えることを特徴とする。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００５３
【補正方法】変更
【補正の内容】
【００５３】
以上説明したように、本発明によれば、好適な色調整が可能になる。